(57)【特許請求の範囲】
【請求項１】
遊技用価値を用いて遊技を行うことが可能な遊技機であって、
第１可動部と該第１可動部に連結される第２可動部とから構成される装飾可動物と、
前記遊技機の所定箇所に設けられ、前記第１可動部の他端が回動可能に一端を軸支する固定支持部と、
少なくとも前記固定支持部の軸心からの距離及び方向がそれぞれ異なる第１位置と第２位置との間で移動可能に設けられ、前記第２可動部の他端が回動可能に一端を軸支する移動支持部と、
前記装飾可動物を前記固定支持部の軸心周りに回転駆動する駆動手段と、
を備え、
前記装飾可動物は、
前記固定支持部の軸心からの距離が前記第２位置よりも短い前記第１位置から該第２位置に前記移動支持部が移動することにより、前記第２可動部が前記第１可動部に対し前記固定支持部と前記移動支持部とを結ぶ線方向に離れるように移動可能に連結され、
前記第１可動部または前記第２可動部のうち一方に設けられる装飾部と、
前記第１可動部または前記第２可動部のうち他方に設けられ、前記第１位置に位置したときに前記装飾部に重畳して被覆する被覆部と、を有し、
前記第１位置から前記第２位置に前記移動支持部が移動することにより、前記被覆部に被覆された前記装飾部が露呈される、
ことを特徴とする遊技機。
【請求項２】
遊技に関連する情報を表示可能な表示手段を備え、
前記装飾可動物は、前記移動支持部が前記第１位置に位置したときに前記表示手段の表示領域から退避する退避位置に配置され、前記第２位置に位置したときに前記表示領域と重畳する重畳位置に配置される、
ことを特徴とする請求項１に記載の遊技機。
【請求項３】
前記移動支持部が前記第２位置に位置したときに、前記装飾部が前記表示領域の略中央位置に配置される、
ことを特徴とする請求項２に記載の遊技機。
【請求項４】
前記装飾部が露呈されたときに、該装飾部を光らせる発光手段を備える、
ことを特徴とする請求項１〜３のいずれかに記載の遊技機。
【請求項５】
前記被覆部は、前記第２可動部に設けられ、該第２可動部の移動方向に配設されるガイド溝を有し、
前記第１可動部は、
前記第２可動部の移動方向にスライド移動可能に延設され、該方向に対して傾斜する傾斜溝が形成されたスライド板と、
前記駆動手段とは別個に該第１可動部における前記固定支持部の軸心近傍に設けられ、前記スライド板を駆動するスライド板駆動手段と、を有し、
前記装飾可動物は、さらに一端が前記傾斜溝に摺動可能に係合され、他端が前記ガイド溝に摺動可能に係合されるリンク片を有し、
前記第１可動部は、さらに前記傾斜溝に係合された前記リンク片の前記第２可動部の移動方向への移動を規制する規制部を有し、
前記スライド板のスライド移動により前記リンク片を移動させ、該移動により前記被覆部を前記第２可動部の移動方向に対して直交する方向に移動させる、
ことを特徴とする請求項１〜４のいずれかに記載の遊技機。
【請求項６】
前記装飾部は、前記移動支持部が前記第２位置に位置したときにおける該移動支持部の近傍位置まで延設されている、
ことを特徴とする請求項１〜５のいずれかに記載の遊技機。
【発明の詳細な説明】
【技術分野】
【０００１】
本発明は、遊技用価値を用いて遊技を行うことが可能な遊技機に関する。
【背景技術】
【０００２】
パチンコ遊技機やスロットマシン等の遊技機では、遊技に関連する演出画像を表示するための表示装置が設けられているとともに、このような表示装置の近傍に、モータやソレノイド等の駆動源により駆動する可動物（いわゆる役物）が該表示装置の前方を上下・左右方向に移動可能に設けられ、表示装置による演出画像の表示と可動物の可動とを連動させること等により演出の向上を図るものが提案されている。
【０００３】
この種の可動物（役物）として、可変入賞球装置内に配設され、可変入賞装置内に進入した遊技媒体を誘導する可動部材と、該可動部材の前面側に配設される装飾部材と、が可変入賞球装置内における演出表示装置の上部に水平に配置される水平位置と、装飾部材及び可動部材を右上方から左下方に向けて傾斜する傾斜位置と、の間で移動可能に設けられたもの等がある（例えば、特許文献１参照）。
【０００４】
具体的には、可動部材と装飾部材とは、演出表示装置の左側にそれぞれ別個に配設された駆動モータにより駆動する一対のボルト状部材それぞれの回転により上下動する一対のナット状部材それぞれに左端部が連結されているとともに、右端部分にはレール部材が設けられており、右端部分は左右方向に移動可能に支持されている。すなわち、可動部材及び装飾部材の左端部分が下方に下がるにしたがって、可動部材及び装飾部材の右端部分も左方に引っ張られるのであるが、レール部材によって可動部材及び装飾部材の右端部分が左方向に移動することによって吸収している。
【先行技術文献】
【特許文献】
【０００５】
【特許文献１】特開２００９−４５１１９号公報（第１４−１５頁、第７図）
【発明の概要】
【発明が解決しようとする課題】
【０００６】
上記特許文献１に記載の可動部材及び装飾部材は、長さ寸法が決まっているので、右端部分側を中心とした回動により左端部分を上方位置と下方位置との間で移動させるには、右端部分を左方向に移動可能に支持する必要があるので構造が複雑化するばかりか、右端部分を固定的に支持した場合には、左端部分の通過位置が右端部分を中心とする円弧線上に制限されてしまい、設計の自由度が低減するという問題があった。
【０００７】
また、可動部材及び装飾部材は回動するものの形態に変化が生じること等はないため、今ひとつ興趣を向上させることができないばかりか、可動部材と装飾部材とをそれぞれ別個の駆動手段により駆動させるため、製造コストが嵩むという問題を有していた。
【０００８】
本発明は、このような問題点に着目してなされたもので、装飾可動物の可動に伴う演出効果を高めることができる遊技機を提供することを目的とする。
【課題を解決するための手段】
【０００９】
前記課題を解決するために、本発明の請求項１に記載の遊技機は、
遊技用価値（パチンコ球）を用いて遊技を行うことが可能な遊技機（パチンコ遊技機１）であって、
第１可動部（回動支持板２５０）と該第１可動部に連結される第２可動部（移動支持板２８０）とから構成される装飾可動物（役物２０１）と、
前記遊技機の所定箇所に設けられ、前記第１可動部の他端（左端部）が回動可能に一端（右端部）を軸支する固定支持部（回動軸２２５）と、
少なくとも前記固定支持部の軸心からの距離（Ｐ１，Ｐ２）及び方向がそれぞれ異なる第１位置（下限位置）と第２位置（上限位置）との間で移動可能に設けられ、前記第２可動部の他端（右端部）が回動可能に一端（左端部）を軸支する移動支持部（移動支持部材２３０）と、
前記装飾可動物を前記固定支持部の軸心周りに回転駆動する駆動手段（昇降モータ８１）と、
を備え、
前記装飾可動物は、
前記固定支持部の軸心からの距離が前記第２位置よりも短い前記第１位置から該第２位置に前記移動支持部が移動（上昇）することにより、前記第２可動部が前記第１可動部に対し前記固定支持部（回動軸２２５の軸心）と前記移動支持部（移動支持部材２８０の軸ネジ２３４）とを結ぶ線方向（長手方向）に離れるように移動可能に連結され（図１４参照）、
前記第１可動部または前記第２可動部のうち一方（第１可動部）に設けられる装飾部（レンズカバー２５７の開閉領域Ｚ３、刀部２１０の基端部）と、
前記第１可動部または前記第２可動部のうち他方（第２可動部）に設けられ、前記第１位置に位置したときに前記装飾部に重畳して被覆する被覆部（鞘部カバー３９０）と、を有し、
前記第１位置から前記第２位置に前記移動支持部が移動することにより、前記被覆部に被覆された前記装飾部が露呈される（図１５（ｂ）参照）、
ことを特徴としている。
この特徴によれば、駆動手段の駆動により、移動支持部が第１位置から第２位置に移動するのに応じて、第１可動部が固定支持部の軸心を中心に回動するとともに、第２可動部が第１可動部に対して離れるように移動することにより、移動支持部の移動に応じて固定支持部の軸心をずらさなくても、移動支持部を固定支持部からの距離及び方向が異なる第１位置と第２位置との間で移動させることができる。よって、構造を複雑化することなく、装飾可動物の可動形態を変化させることができるとともに、駆動手段とは別個の駆動手段を用いることなく、移動支持部の移動に応じて第２可動部が第１可動部に対し離れたり近づいたりすることで装飾部が被覆部により開閉されることによって装飾態様に変化を持たせることができるため、興趣を向上させることができる。
【００１０】
本発明の請求項２に記載の遊技機は、請求項１に記載の遊技機であって、
遊技に関連する情報（演出画像等）を表示可能な表示手段（演出表示装置９）を備え、
前記装飾可動物（役物２０１）は、前記移動支持部（移動支持部材２３０）が前記第１位置（下限位置）に位置したときに前記表示手段の表示領域（表示部９ａ）から退避する退避位置（図１５（ａ）参照）に配置され、前記第２位置（上限位置）に位置したときに前記表示領域と重畳する重畳位置（前面位置（図１５（ｂ）参照））に配置される、
ことを特徴としている。
この特徴によれば、遊技者が役物を注視しやすくなるため、装飾部の装飾効果が高まるとともに、遊技の興趣が向上する。
【００１１】
本発明の請求項３に記載の遊技機は、請求項２に記載の遊技機であって、
前記移動支持部（移動支持部材２３０）が前記第２位置（上限位置）に位置したときに、前記装飾部（レンズカバー２５７の開閉領域Ｚ３、刀部２１０の基端部）が前記表示領域（表示部９ａ）の略中央位置に配置される（図１５（ｂ）参照）、
ことを特徴としている。
この特徴によれば、遊技者の視線が集まる表示領域の中心に装飾部が配置されることにより、装飾部の装飾効果をより一層高めることができる。
【００１２】
本発明の請求項４に記載の遊技機は、請求項１〜３のいずれかに記載の遊技機であって、
前記装飾部（レンズカバー２５７の開閉領域Ｚ３、刀部２１０の基端部）が露呈されたときに、該装飾部を光らせる発光手段（役物用ＬＥＤ８５）を備える、
ことを特徴としている。
この特徴によれば、装飾部を目立たせることができるため、装飾効果が高まる。
【００１３】
本発明の請求項５に記載の遊技機は、請求項１〜４のいずれかに記載の遊技機であって、
前記被覆部（鞘部カバー３９０、上鞘部カバー３９０ａ，下鞘部カバー３９０ｂ）は、前記第２可動部（移動支持板２８０）に設けられ、該第２可動部の移動方向（長手方向）に配設されるガイド溝（ガイド溝部２９０ｄ，２９０ｆ）を有し、
前記第１可動部（回動支持板２５０）は、
前記第２可動部の移動方向（長手方向）にスライド移動可能に延設され、該方向に対して傾斜する傾斜溝（傾斜溝３１７，３１８）が形成されたスライド板（３１０）と、
前記駆動手段（昇降モータ８１）とは別個に該第１可動部における前記固定支持部（回動軸２２５）の軸心近傍に設けられ、前記スライド板を駆動するスライド板駆動手段（開閉モータ８３）と、を有し、
前記装飾可動物は、さらに一端が前記傾斜溝に摺動可能に係合され、他端が前記ガイド溝に摺動可能に係合されるリンク片（第３リンク片３５０ａ，３５０ｂ、第４リンク片３６０ａ，３６０ｂ）を有し、
前記第１可動部は、さらに前記傾斜溝に係合された前記リンク片の前記第２可動部の移動方向（長手方向）への移動を規制する規制部（ガイド凹部２６５，２６６）を有し、
前記スライド板のスライド移動により前記リンク片を移動させ、該移動により前記被覆部を前記第２可動部の移動方向に対して直交する方向（上下幅方向）に移動させる（図１３参照）、
ことを特徴としている。
この特徴によれば、装飾可動物の多彩な動作により興趣を高めるとともに、被覆部とスライド板とが連結されていないことで、第２可動部とともに被覆部が第１可動部に対し離れる方向に移動しても、被覆部を第２可動部の移動方向に対して直交する方向に移動させることができるばかりか、第２可動部に設けられる被覆部を移動させるスライド板駆動手段を、移動支持部とともに移動する第２可動部ではなく第１可動部に配設することで、スライド板駆動手段の駆動時に該スライド板駆動手段の荷重がかかることがないので、駆動負荷が軽減される。
【００１４】
本発明の請求項６に記載の遊技機は、請求項１〜５のいずれかに記載の遊技機であって、
前記装飾部（レンズカバー２５７の開閉領域Ｚ３、刀部２１０）は、前記移動支持部（移動支持部材２３０）が前記第２位置（上限位置）に位置したときにおける該移動支持部の近傍位置まで延設されている（図１５（ｃ）参照）、
ことを特徴としている。
この特徴によれば、被覆部を固定支持部の軸心からの距離が第１位置よりも長い第２位置に合わせて形成することで、固定支持部の軸心から第２位置までの距離を長く設計した場合でも、第２可動部とともに被覆部が第１可動部から離れる方向に移動したときに装飾部が露呈されるため、設計変更等があった場合でも被覆部を使用することができる。
【図面の簡単な説明】
【００１５】
【図１】パチンコ遊技機を正面からみた正面図である。
【図２】主基板における回路構成の一例を示すブロック図である。
【図３】図１のＡ−Ａ拡大縦断面図である。
【図４】役物ユニットを示す正面図である。
【図５】役物の作動状況を示す正面図である。
【図６】役物の作動状況を示す正面図である。
【図７】役物ユニットの内部構造を示す分解斜視図である。
【図８】図７の要部拡大斜視図である。
【図９】図７の要部拡大斜視図である。
【図１０】開閉機構を示す分解斜視図である。
【図１１】（ａ）は役物の構造を示す概略図であり、（ｂ）は（ａ）のＢ−Ｂ断面図である。
【図１２】（ａ）は役物の構造を示す概略図であり、（ｂ）は（ａ）のＣ−Ｃ断面図である。
【図１３】（ａ）は役物の構造を示す概略図であり、（ｂ）は（ａ）のＤ−Ｄ断面図である。
【図１４】（ａ）は役物が退避位置にある状態を示す概略構造図であり、（ｂ）は役物が前面位置にある状態を示す概略構造図であり、（ｃ）は役物の被覆部が開放した状態を示す概略構造図である。
【図１５】（ａ）は役物が退避位置にある状態を示す外観図であり、（ｂ）は役物が前面位置に位置している外観図であり、（ｃ）は被覆部が開放した状態を示す外観図である。
【発明を実施するための形態】
【００１６】
本発明の実施例を図面に基づいて以下に説明する。
【実施例】
【００１７】
まず、遊技機の一例であるパチンコ遊技機１の全体の構成について説明する。図１はパチンコ遊技機１を正面からみた正面図である。
【００１８】
図１に示すように、パチンコ遊技機１は、縦長の方形状に形成された外枠（図示略）と、外枠の内側に開閉可能に取り付けられた遊技枠（図示略）とで構成され、該遊技枠に開閉可能に設けられている額縁状に形成されたガラス扉枠２を有する。遊技枠は、外枠に対して開閉自在に設置される前面枠（図示略）と、機構部品等が取り付けられる機構板（図示略）と、それらに取り付けられる種々の部品（後述する遊技盤６を除く）とを含む構造体である。そしてパチンコ遊技機１は、図１に示すように、上下方向を向く起立姿勢で図示しない遊技機設置島等の設置部に設置される。
【００１９】
ガラス扉枠２の下部表面には打球供給皿（上皿）３がある。打球供給皿３の下部には、打球供給皿３に収容しきれない遊技球を貯留する余剰球受皿４や、打球を発射する打球操作ハンドル（操作ノブ）５が設けられている。また、ガラス扉枠２の背面には、遊技盤６が遊技枠（図示略）に対して着脱可能に取り付けられている。なお、遊技盤６は、それを構成する板状の合成樹脂板と、その合成樹脂板に取り付けられた種々の部品とを含む構造体である。また、遊技盤６の前面には、打ち込まれた遊技球が流下可能な遊技領域７が形成されている。
【００２０】
遊技領域７の中央付近には、液晶表示装置（ＬＣＤ）で構成された演出表示装置９が設けられている。演出表示装置９では、第１特別図柄または第２特別図柄の可変表示に同期した演出図柄（飾り図柄）の可変表示（変動）が行われる。よって、演出表示装置９は、識別情報としての演出図柄（飾り図柄）の可変表示を行う可変表示装置に相当する。演出表示装置９は、演出制御基板に搭載されている演出制御用マイクロコンピュータによって制御される。演出制御用マイクロコンピュータが、第１特別図柄表示器８ａ（図２参照）で第１特別図柄の可変表示が実行されているときに、その可変表示に伴って演出表示装置９で演出表示を実行させ、第２特別図柄表示器８ｂ（図２参照）で第２特別図柄の可変表示が実行されているときに、その可変表示に伴って演出表示装置で演出表示を実行させるので、遊技の進行状況を把握しやすくすることができる。
【００２１】
遊技盤６には、識別情報としての第１特別図柄を可変表示する第１特別図柄表示器（第１可変表示手段）８ａ（図２参照）が設けられている。この実施例では、第１特別図柄表示器８ａは、０〜９の数字を可変表示可能な簡易で小型の表示器（例えば７セグメントＬＥＤ）で実現されている。すなわち、第１特別図柄表示器８ａは、０〜９の数字（または、記号）を可変表示するように構成されている。また、遊技盤６には、識別情報としての第２特別図柄を可変表示する第２特別図柄表示器（第２可変表示手段）８ｂ（図２参照）が設けられている。第２特別図柄表示器８ｂは、０〜９の数字を可変表示可能な簡易で小型の表示器（例えば７セグメントＬＥＤ）で実現されている。すなわち、第２特別図柄表示器８ｂは、０〜９の数字（または、記号）を可変表示するように構成されている。
【００２２】
この実施例では、第１特別図柄の種類と第２特別図柄の種類とは同じ（例えば、ともに０〜９の数字）であるが、種類が異なっていてもよい。また、第１特別図柄表示器８ａおよび第２特別図柄表示器８ｂは、それぞれ、例えば２つの７セグメントＬＥＤ等を用いて００〜９９の数字（または、２桁の記号）を可変表示するように構成されていてもよい。
【００２３】
以下、第１特別図柄と第２特別図柄とを特別図柄と総称することがあり、第１特別図柄表示器８ａと第２特別図柄表示器８ｂとを特別図柄表示器と総称することがある。
【００２４】
第１特別図柄または第２特別図柄の可変表示は、可変表示の実行条件である第１始動条件または第２始動条件が成立（例えば、遊技球が第１始動入賞口１３または第２始動入賞口１４に入賞したこと）した後、可変表示の開始条件（例えば、保留記憶数が０でない場合であって、第１特別図柄および第２特別図柄の可変表示が実行されていない状態であり、かつ、大当り遊技が実行されていない状態）が成立したことにもとづいて開始され、可変表示時間（変動時間）が経過すると表示結果（停止図柄）を導出表示する。なお、入賞とは、入賞口などのあらかじめ入賞領域として定められている領域に遊技球が入ったことである。また、表示結果を導出表示するとは、図柄（識別情報の例）を最終的に停止表示させることである。
【００２５】
演出表示装置９は、第１特別図柄表示器８ａでの第１特別図柄の可変表示時間中、および第２特別図柄表示器８ｂでの第２特別図柄の可変表示時間中に、装飾用（演出用）の図柄としての演出図柄（飾り図柄ともいう）の可変表示を行う。第１特別図柄表示器８ａにおける第１特別図柄の可変表示と、演出表示装置９における演出図柄の可変表示とは同期している。また、第２特別図柄表示器８ｂにおける第２特別図柄の可変表示と、演出表示装置９における演出図柄の可変表示とは同期している。同期とは、可変表示の開始時点および終了時点がほぼ同じ（全く同じでもよい。）であって、可変表示の期間がほぼ同じ（全く同じでもよい。）であることをいう。また、第１特別図柄表示器８ａにおいて大当り図柄が停止表示されるときと、第２特別図柄表示器８ｂにおいて大当り図柄が停止表示されるときには、演出表示装置９において大当りを想起させるような演出図柄の組み合わせが停止表示される。
【００２６】
演出表示装置９は、図３に示すように、遊技盤６に形成された開口部６ａに、表示部９ａを前面側に臨ませるように配設されている。また、演出表示装置９の前面側には、表示部９ａの前面側に上下方向に移動可能に配置される装飾可動物としての役物２０１（本実施例では短刀を模したフィギュア）を有する役物ユニット２００が設けられており、例えば演出表示装置９による演出の実行に応じて役物２０１を上下駆動させることができるようになっている（図１５参照）。尚、役物ユニット２００の詳細については後述することとする。
【００２７】
演出表示装置９の下方には、第１始動入賞口１３を有する入賞装置が設けられている。第１始動入賞口１３に入賞した遊技球は、遊技盤６の背面に導かれ、第１始動口スイッチ１３ａによって検出される。
【００２８】
また、第１始動入賞口（第１始動口）１３を有する入賞装置の下方には、遊技球が入賞可能な第２始動入賞口１４を有する可変入賞球装置１５が設けられている。第２始動入賞口（第２始動口）１４に入賞した遊技球は、遊技盤６の背面に導かれ、第２始動口スイッチ１４ａによって検出される。可変入賞球装置１５は、ソレノイド１６によって開状態とされる。可変入賞球装置１５が開状態になることによって、遊技球が第２始動入賞口１４に入賞可能になり（始動入賞し易くなり）、遊技者にとって有利な状態になる。可変入賞球装置１５が開状態になっている状態では、第１始動入賞口１３よりも、第２始動入賞口１４に遊技球が入賞しやすい。また、可変入賞球装置１５が閉状態になっている状態では、遊技球は第２始動入賞口１４に入賞しない。なお、可変入賞球装置１５が閉状態になっている状態において、入賞はしづらいものの、入賞することは可能である（すなわち、遊技球が入賞しにくい）ように構成されていてもよい。
【００２９】
以下、第１始動入賞口１３と第２始動入賞口１４とを総称して始動入賞口または始動口ということがある。
【００３０】
可変入賞球装置１５が開放状態に制御されているときには可変入賞球装置１５に向かう遊技球は第２始動入賞口１４に極めて入賞しやすい。そして、第１始動入賞口１３は演出表示装置９の直下に設けられているが、演出表示装置９の下端と第１始動入賞口１３との間の間隔をさらに狭めたり、第１始動入賞口１３の周辺で釘を密に配置したり、第１始動入賞口１３の周辺での釘配列を、遊技球を第１始動入賞口１３に導きづらくして、第２始動入賞口１４の入賞率の方を第１始動入賞口１３の入賞率よりもより高くするようにしてもよい。
【００３１】
第２特別図柄表示器８ｂの近傍には、第１始動入賞口１３に入った有効入賞球数すなわち第１保留記憶数（保留記憶を、始動記憶または始動入賞記憶ともいう。）を表示する第１特別図柄保留記憶表示部と、第２始動入賞口１４に入った有効入賞球数すなわち第２保留記憶数を表示する第２特別図柄保留記憶表示部と、が設けられた例えば７セグメントＬＥＤからなる特別図柄保留記憶表示器１８（図２参照）が設けられている。第１特別図柄保留記憶表示部は、有効始動入賞がある毎に、点灯する表示器の数を１増やす。そして、第１特別図柄表示器８ａでの可変表示が開始される毎に、点灯する表示器の数を１減らす。また、第２特別図柄保留記憶表示部は、有効始動入賞がある毎に、点灯する表示器の数を１増やす。そして、第２特別図柄表示器８ｂでの可変表示が開始される毎に、点灯する表示器の数を１減らす。
【００３２】
また、演出表示装置９の表示部９ａには、第１保留記憶数を表示する第１保留記憶表示部１８ｃと、第２保留記憶数を表示する第２保留記憶表示部１８ｄとが設けられている。なお、第１保留記憶数と第２保留記憶数との合計である合計数（合算保留記憶数）を表示する領域（合算保留記憶表示部）が設けられるようにしてもよい。そのように、合計数を表示する合算保留記憶表示部が設けられているようにすれば、可変表示の開始条件が成立していない実行条件の成立数の合計を把握しやすくすることができる。
【００３３】
なお、この実施例では、図１に示すように、第２始動入賞口１４に対してのみ開閉動作を行う可変入賞球装置１５が設けられているが、第１始動入賞口１３および第２始動入賞口１４のいずれについても開閉動作を行う可変入賞球装置が設けられている構成であってもよい。
【００３４】
また、図１に示すように、可変入賞球装置１５の下方には、特別可変入賞球装置２０が設けられている。特別可変入賞球装置２０は開閉板を備え、第１特別図柄表示器８ａに特定表示結果（大当り図柄）が導出表示されたとき、および第２特別図柄表示器８ｂに特定表示結果（大当り図柄）が導出表示されたときに生起する特定遊技状態（大当り遊技状態）においてソレノイド２１によって開閉板が開放状態に制御されることによって、入賞領域となる大入賞口が開放状態になる。大入賞口に入賞した遊技球はカウントスイッチ２３で検出される。
【００３５】
遊技盤６には、普通図柄表示器１０（図２参照）が設けられている。普通図柄表示器１０は、例えば２つのランプからなる。遊技球がゲート３２を通過しゲートスイッチ３２ａで検出されると、普通図柄表示器１０の表示の可変表示が開始される。この実施例では、上下のランプ（点灯時に図柄が視認可能になる）が交互に点灯することによって可変表示が行われ、例えば、可変表示の終了時に下側のランプが点灯すれば当りとなる。そして、普通図柄表示器１０の下側のランプが点灯して当りである場合に、可変入賞球装置１５が所定回数、所定時間だけ開状態になる。すなわち、可変入賞球装置１５の状態は、下側のランプが点灯して当りである場合に、遊技者にとって不利な状態から有利な状態（第２始動入賞口１４に遊技球が入賞可能な状態）に変化する。また、遊技盤６には、ゲート３２を通過した入賞球数を表示する４つの表示部（例えば、７セグメントＬＥＤのうち４つのセグメント）を有する普通図柄保留記憶表示器４１（図２参照）が設けられている。ゲート３２への遊技球の通過がある毎に、すなわちゲートスイッチ３２ａによって遊技球が検出される毎に、普通図柄保留記憶表示器４１は点灯する表示部を１増やす。そして、普通図柄表示器１０の可変表示が開始される毎に、点灯する表示部を１減らす。
【００３６】
尚、７セグメントＬＥＤからなる普通図柄保留記憶表示器４１には、ゲート３２を通過した入賞球数を表示する４つの表示部（セグメント）とともに、例えば大当り時における特別可変入賞球装置２０の開放回数（大当りラウンド数）を示す２つの表示部（セグメント）、及び遊技状態を示す２つの表示部（セグメント）が設けられているが、これら表示部を普通図柄保留記憶表示部とは別個の表示器にて構成してもよい。また、普通図柄表示器１０は、普通図柄と呼ばれる複数種類の識別情報（例えば、「○」および「×」）を可変表示可能なセグメントＬＥＤ等にて構成してもよい。
【００３７】
さらに、通常状態に比べて大当りとすることに決定される確率が高い状態である確変状態では、普通図柄表示器１０の下側のランプが点灯して当りになる確率が高められるとともに、可変入賞球装置１５の開放時間が長くなり、かつ、開放回数が増加される。すなわち、遊技球が始動入賞しやすくなる（つまり、特別図柄表示器８ａ，８ｂや演出表示装置９における可変表示の実行条件が成立しやすくなる）ように制御された遊技状態である高ベース状態に移行する。また、この実施例では、時短状態（特別図柄の可変表示時間が短縮される遊技状態）においても、可変入賞球装置１５の開放時間が長くなり、かつ、開放回数が増加される。
【００３８】
なお、可変入賞球装置１５が開状態となる時間を延長する（開放延長状態ともいう）ことによって、遊技球が始動入賞口に進入しやすくなる（つまり、特別図柄表示器８ａ，８ｂや演出表示装置９における可変表示の実行条件が成立しやすくなる）ように制御された遊技状態である高ベース状態に移行してもよい。
【００３９】
また、可変入賞球装置１５が開状態となる時間を延長するのでなく、普通図柄表示器１０における下側のランプが点灯して当りになる確率が高められる普通図柄確変状態に移行することによって、高ベース状態に移行してもよい。普通図柄表示器１０における下側のランプが点灯して当りとなると、可変入賞球装置１５が所定回数、所定時間だけ開状態になる。この場合、普通図柄確変状態に移行制御することによって、普通図柄表示器１０における下側のランプが点灯して当りになる確率が高められ、可変入賞球装置１５が開状態となる頻度が高まる。従って、普通図柄確変状態に移行すれば、可変入賞球装置１５の開放時間と開放回数が高められ、始動入賞しやすい状態（高ベース状態）となる。すなわち、可変入賞球装置１５の開放時間と開放回数は、下側のランプが点灯して当りとなったり、特別図柄の停止図柄が確変図柄である場合等に高められ、遊技者にとって不利な状態から有利な状態（始動入賞しやすい状態）に変化する。なお、開放回数が高められることは、閉状態から開状態になることも含む概念である。
【００４０】
また、普通図柄表示器１０における普通図柄の変動時間（可変表示期間）が短縮される普通図柄時短状態に移行することによって、高ベース状態に移行してもよい。普通図柄時短状態では、普通図柄の変動時間が短縮されるので、普通図柄の変動が開始される頻度が高くなり、結果として普通図柄が当りとなる頻度が高くなる。従って、普通図柄が当りとなる頻度が高くなることによって、可変入賞球装置１５が開状態となる頻度が高くなり、始動入賞しやすい状態（高ベース状態）となる。
【００４１】
また、特別図柄や演出図柄の変動時間（可変表示期間）が短縮される時短状態に移行することによって、特別図柄や演出図柄の変動時間が短縮されるので、有効な始動入賞が発生しやすくなり大当り遊技が行われる可能性が高まる。
【００４２】
さらに、上記に示した全ての状態（開放延長状態、普通図柄確変状態、普通図柄時短状態および特別図柄時短状態）に移行させることによって、始動入賞しやすくなる（高ベース状態に移行する）ようにしてもよい。また、上記に示した各状態（開放延長状態、普通図柄確変状態、普通図柄時短状態および特別図柄時短状態）のうちのいずれか複数の状態に移行させることによって、始動入賞しやすくなる（高ベース状態に移行する）ようにしてもよい。
【００４３】
遊技盤６の遊技領域７の左右周辺には、遊技中に点滅表示される装飾ＬＥＤ２５が設けられ、下部には、入賞しなかった打球が取り込まれるアウト口２６がある。また、遊技領域７の外側の左右上部には、所定の音声出力として効果音や音声を発声する２つのスピーカ２７Ｒ，２７Ｌが設けられている。遊技領域７の外周上部、外周左部および外周右部には、前面枠に設けられた天枠ＬＥＤ２８ａ、左枠ＬＥＤ２８ｂおよび右枠ＬＥＤ２８ｃが設けられている。また、左枠ＬＥＤ２８ｂの近傍には賞球残数があるときに点灯する賞球ＬＥＤ５１が設けられ、右枠ＬＥＤ２８ｃの近傍には補給球が切れたときに点灯する球切れＬＥＤ５２が設けられている。天枠ＬＥＤ２８ａ、左枠ＬＥＤ２８ｂおよび右枠ＬＥＤ２８ｃおよび装飾用ＬＥＤ２５は、パチンコ遊技機１に設けられている演出用の発光体の一例である。なお、上述した演出用（装飾用）の各種ＬＥＤの他にも演出のためのＬＥＤやランプが設置されている。
【００４４】
また、打球供給皿３を構成する部材に、遊技者が操作可能な操作手段としての操作部５０が設けられている。操作部５０の内部には、点灯可能なＬＥＤ５０ｂ（図２参照）と、操作部５０の押圧操作を検出するための操作スイッチ５０ａが設けられている（図２参照）。
【００４５】
遊技機には、遊技者が打球操作ハンドル５を操作することに応じて駆動モータを駆動し、駆動モータの回転力を利用して遊技球を遊技領域７に発射する打球発射装置（図示略）が設けられている。打球発射装置から発射された遊技球は、遊技領域７を囲むように円形状に形成された打球レールを通って遊技領域７に入り、その後、遊技領域７を下りてくる。遊技球が第１始動入賞口１３に入り第１始動口スイッチ１３ａで検出されると、第１特別図柄の可変表示を開始できる状態であれば（例えば、特別図柄の可変表示が終了し、第１の開始条件が成立したこと）、第１特別図柄表示器８ａにおいて第１特別図柄の可変表示（変動）が開始されるとともに、演出表示装置９において演出図柄（飾り図柄）の可変表示が開始される。すなわち、第１特別図柄および演出図柄の可変表示は、第１始動入賞口１３への入賞に対応する。第１特別図柄の可変表示を開始できる状態でなければ、第１保留記憶数が上限値に達していないことを条件として、第１保留記憶数を１増やす。
【００４６】
遊技球が第２始動入賞口１４に入り第２始動口スイッチ１４ａで検出されると、第２特別図柄の可変表示を開始できる状態であれば（例えば、特別図柄の可変表示が終了し、第２の開始条件が成立したこと）、第２特別図柄表示器８ｂにおいて第２特別図柄の可変表示（変動）が開始されるとともに、演出表示装置９において演出図柄（飾り図柄）の可変表示が開始される。すなわち、第２特別図柄および演出図柄の可変表示は、第２始動入賞口１４への入賞に対応する。第２特別図柄の可変表示を開始できる状態でなければ、第２保留記憶数が上限値に達していないことを条件として、第２保留記憶数を１増やす。
【００４７】
図２は、主基板（遊技制御基板）３１における回路構成の一例を示すブロック図である。なお、図２には、払出制御基板３７および演出制御基板８０等も示されている。主基板３１には、プログラムに従ってパチンコ遊技機１を制御する遊技制御用マイクロコンピュータ（遊技制御手段に相当）５６０が搭載されている。遊技制御用マイクロコンピュータ１５６は、ゲーム制御（遊技進行制御）用のプログラム等を記憶するＲＯＭ５４、ワークメモリとして使用される記憶手段としてのＲＡＭ５５、プログラムに従って制御動作を行うＣＰＵ５６およびＩ／Ｏポート部５７を含む。この実施例では、ＲＯＭ５４およびＲＡＭ５５は遊技制御用マイクロコンピュータ１５６に内蔵されている。すなわち、遊技制御用マイクロコンピュータ１５６は、１チップマイクロコンピュータである。１チップマイクロコンピュータには、少なくともＣＰＵ５６のほかＲＡＭ５５が内蔵されていればよく、ＲＯＭ５４は外付けであっても内蔵されていてもよい。また、Ｉ／Ｏポート部５７は、外付けであってもよい。遊技制御用マイクロコンピュータ１５６には、さらに、ハードウェア乱数（ハードウェア回路が発生する乱数）を発生する乱数回路５３が内蔵されている。
【００４８】
なお、遊技制御用マイクロコンピュータ１５６においてＣＰＵ５６がＲＯＭ５４に格納されているプログラムに従って制御を実行するので、以下、遊技制御用マイクロコンピュータ１５６（またはＣＰＵ５６）が実行する（または、処理を行う）ということは、具体的には、ＣＰＵ５６がプログラムに従って制御を実行することである。このことは、主基板３１以外の他の基板に搭載されているマイクロコンピュータについても同様である。
【００４９】
乱数回路５３は、特別図柄の可変表示の表示結果により大当りとするか否か判定するための判定用の乱数を発生するために用いられるハードウェア回路である。乱数回路５３は、初期値（例えば、０）と上限値（例えば、６５５３５）とが設定された数値範囲内で、数値データを、設定された更新規則に従って更新し、ランダムなタイミングで発生する始動入賞時が数値データの読出（抽出）時であることにもとづいて、読出される数値データが乱数値となる乱数発生機能を有する。
【００５０】
乱数回路５３は、数値データの更新範囲の選択設定機能（初期値の選択設定機能、および、上限値の選択設定機能）、数値データの更新規則の選択設定機能、および数値データの更新規則の選択切換え機能等の各種の機能を有する。このような機能によって、生成する乱数のランダム性を向上させることができる。
【００５１】
また、遊技制御用マイクロコンピュータ１５６は、乱数回路５３が更新する数値データの初期値を設定する機能を有している。例えば、ＲＯＭ５４等の所定の記憶領域に記憶された遊技制御用マイクロコンピュータ１５６のＩＤナンバ（遊技制御用マイクロコンピュータ１５６の各製品ごとに異なる数値で付与されたＩＤナンバ）を用いて所定の演算を行なって得られた数値データを、乱数回路５３が更新する数値データの初期値として設定する。そのような処理を行うことによって、乱数回路５３が発生する乱数のランダム性をより向上させることができる。
【００５２】
遊技制御用マイクロコンピュータ１５６は、第１始動口スイッチ１３ａまたは第２始動口スイッチ１４ａへの始動入賞が生じたときに乱数回路５３から数値データをランダムＲとして読み出し、特別図柄および演出図柄の変動開始時にランダムＲにもとづいて特定の表示結果としての大当り表示結果にするか否か、すなわち、大当りとするか否かを決定する。そして、大当りとすると決定したときに、遊技状態を遊技者にとって有利な特定遊技状態としての大当り遊技状態に移行させる。
【００５３】
また、ＲＡＭ５５は、その一部または全部が電源基板において作成されるバックアップ電源によってバックアップされている不揮発性記憶手段としてのバックアップＲＡＭである。すなわち、遊技機に対する電力供給が停止しても、所定期間（バックアップ電源としてのコンデンサが放電してバックアップ電源が電力供給不能になるまで）は、ＲＡＭ５５の一部または全部の内容は保存される。特に、少なくとも、遊技状態すなわち遊技制御手段の制御状態に応じたデータ（特別図柄プロセスフラグや合算保留記憶数カウンタの値など）と未払出賞球数を示すデータは、バックアップＲＡＭに保存される。遊技制御手段の制御状態に応じたデータとは、停電等が生じた後に復旧した場合に、そのデータにもとづいて、制御状態を停電等の発生前に復旧させるために必要なデータである。また、制御状態に応じたデータと未払出賞球数を示すデータとを遊技の進行状態を示すデータと定義する。なお、この実施例では、ＲＡＭ５５の全部が、電源バックアップされているとする。
【００５４】
遊技制御用マイクロコンピュータ１５６のリセット端子には、電源基板からのリセット信号（図示せず）が入力される。電源基板には、遊技制御用マイクロコンピュータ１５６等に供給されるリセット信号を生成するリセット回路が搭載されている。なお、リセット信号がハイレベルになると遊技制御用マイクロコンピュータ１５６等は動作可能状態になり、リセット信号がローレベルになると遊技制御用マイクロコンピュータ１５６等は動作停止状態になる。従って、リセット信号がハイレベルである期間は、遊技制御用マイクロコンピュータ１５６等の動作を許容する許容信号が出力されていることになり、リセット信号がローレベルである期間は、遊技制御用マイクロコンピュータ１５６等の動作を停止させる動作停止信号が出力されていることになる。なお、リセット回路をそれぞれの電気部品制御基板（電気部品を制御するためのマイクロコンピュータが搭載されている基板）に搭載してもよい。
【００５５】
さらに、遊技制御用マイクロコンピュータ１５６の入力ポートには、電源基板からの電源電圧が所定値以下に低下したことを示す電源断信号が入力される。すなわち、電源基板には、遊技機において使用される所定電圧（例えば、ＤＣ３０ＶやＤＣ５Ｖなど）の電圧値を監視して、電圧値があらかじめ定められた所定値にまで低下すると（電源電圧の低下を検出すると）、その旨を示す電源断信号を出力する電源監視回路が搭載されている。また、遊技制御用マイクロコンピュータ１５６の入力ポートには、ＲＡＭの内容をクリアすることを指示するためのクリアスイッチが操作されたことを示すクリア信号（図示せず）が入力される。
【００５６】
また、ゲートスイッチ３２ａ、第１始動口スイッチ１３ａ、第２始動口スイッチ１４ａおよびカウントスイッチ２３からの検出信号を遊技制御用マイクロコンピュータ１５６に与える入力ドライバ回路５８も主基板３１に搭載されている。また、可変入賞球装置１５を開閉するソレノイド１６、および大入賞口を形成する特別可変入賞球装置２０を開閉するソレノイド２１を遊技制御用マイクロコンピュータ１５６からの指令に従って駆動する出力回路５９も主基板３１に搭載されている。さらに、大当り遊技状態の発生を示す大当り情報等の情報出力信号をホールコンピュータ等の外部装置に対して出力する情報出力回路（図示せず）も主基板３１に搭載されている。
【００５７】
この実施例では、演出制御基板８０に搭載されている演出制御手段（演出制御用マイクロコンピュータで構成される。）が、中継基板７７を介して遊技制御用マイクロコンピュータ１５６から演出内容を指示する演出制御コマンドを受信し、演出図柄を可変表示する演出表示装置９との表示制御を行う。
【００５８】
演出制御基板８０は、演出制御用ＣＰＵおよびＲＡＭを含む演出制御用マイクロコンピュータ（図示略）を搭載している。なお、ＲＡＭは外付けであってもよい。演出制御基板８０において、演出制御用ＣＰＵ（図示略）は、内蔵または外付けのＲＯＭ（図示略）に格納されたプログラムに従って動作し、中継基板７７を介して入力される主基板３１からの取込信号（演出制御ＩＮＴ信号）に応じて、入力ドライバおよび入力ポートを介して演出制御コマンドを受信する。また、演出制御用ＣＰＵ（図示略）は、演出制御コマンドにもとづいて、ＶＤＰ（ビデオディスプレイプロセッサ）に演出表示装置９の表示制御を行わせる。
【００５９】
演出制御用ＣＰＵ（図示略）は、受信した演出制御コマンドに従ってキャラクタＲＯＭ（図示せず）から必要なデータを読み出す。キャラクタＲＯＭは、演出表示装置９に表示されるキャラクタ画像データ、具体的には、人物、文字、図形または記号等（演出図柄を含む）をあらかじめ格納しておくためのものである。演出制御用ＣＰＵ（図示略）は、キャラクタＲＯＭから読み出したデータをＶＤＰに出力する。ＶＤＰは、演出制御用ＣＰＵから入力されたデータにもとづいて表示制御を実行する。
【００６０】
演出制御コマンドおよび演出制御ＩＮＴ信号は、演出制御基板８０において、まず、入力ドライバに入力する。入力ドライバは、中継基板７７から入力された信号を演出制御基板８０の内部に向かう方向にしか通過させない（演出制御基板８０の内部から中継基板７７への方向には信号を通過させない）信号方向規制手段としての単方向性回路でもある。
【００６１】
中継基板７７には、主基板３１から入力された信号を演出制御基板８０に向かう方向にしか通過させない（演出制御基板８０から中継基板７７への方向には信号を通過させない）信号方向規制手段としての単方向性回路（図示略）が搭載されている。単方向性回路として、例えばダイオードやトランジスタが使用される。さらに、単方向性回路であるＩ／Ｏポート部を介して主基板３１から演出制御コマンドおよび演出制御ＩＮＴ信号が出力されるので、中継基板７７から主基板３１の内部に向かう信号が規制される。すなわち、中継基板７７からの信号は主基板３１の内部（遊技制御用マイクロコンピュータ１５６側）に入り込まない。
【００６２】
さらに、演出制御用ＣＰＵ（図示略）は、出力ポート（図示略）を介してランプドライバ基板３５に対してＬＥＤを駆動する信号を出力する。また、演出制御用ＣＰＵは、出力ポートを介して音声出力基板７０に対して音番号データを出力する。
【００６３】
ランプドライバ基板３５において、ＬＥＤを駆動する信号は、入力ドライバ（図示略）を介してＬＥＤドライバに入力される。ＬＥＤドライバは、駆動信号を天枠ＬＥＤ２８ａ、左枠ＬＥＤ２８ｂ、右枠ＬＥＤ２８ｃなどの枠側に設けられている各ＬＥＤに供給する。また、遊技盤側に設けられている装飾ＬＥＤ２５、役物用ＬＥＤ８５に駆動信号を供給する。なお、ＬＥＤ以外の発光体が設けられている場合には、それを駆動する駆動回路（ドライバ）がランプドライバ基板３５に搭載される。
【００６４】
音声出力基板７０において、音番号データは、入力ドライバ（図示略）を介して音声合成用ＩＣ（図示略）に入力される。音声合成用ＩＣは、音番号データに応じた音声や効果音を発生し増幅回路（図示略）に出力する。増幅回路は、音声合成用ＩＣの出力レベルを、ボリュームで設定されている音量に応じたレベルに増幅した音声信号をスピーカ２７Ｒ，２７Ｌに出力する。音声データＲＯＭ（図示略）には、音番号データに応じた制御データが格納されている。音番号データに応じた制御データは、所定期間（例えば演出図柄の変動期間）における効果音または音声の出力態様を時系列的に示すデータの集まりである。
【００６５】
また、演出制御用ＣＰＵ（図示略）は、入出力ポートを介して操作部５０に接続されており、該入出力ポートを介して操作部５０内のＬＥＤ５０ｂを駆動する信号を出力するとともに、操作部５０内の操作スイッチ５０ａから遊技者の押圧操作に応じて出力される操作信号が入力される。
【００６６】
また、演出制御用ＣＰＵ（図示略）は、役物ユニット２００に設けられた昇降モータ８１、開閉モータ８３及び昇降センサ８２、開閉センサ８４に接続されており、昇降モータ８１を駆動する信号を出力するとともに、昇降センサ８２から入力される検出信号を監視する。
【００６７】
次に、本実施例の役物ユニット２００の構造について、図面にもとづいて説明する。図３は、図１のＡ−Ａ拡大縦断面図である。図４は、役物ユニットを示す正面図である。図５は、役物の作動状況を示す正面図である。図６は、役物の作動状況を示す正面図である。図７は、役物ユニットの内部構造を示す分解斜視図である。図８は、図７の要部拡大斜視図である。図９は、図７の要部拡大斜視図である。図１０は、開閉機構を示す分解斜視図である。図１１は、（ａ）は役物の構造を示す概略図であり、（ｂ）は（ａ）のＢ−Ｂ断面図である。図１２は、（ａ）は役物の構造を示す概略図であり、（ｂ）は（ａ）のＣ−Ｃ断面図である。図１３は、（ａ）は役物の構造を示す概略図であり、（ｂ）は（ａ）のＤ−Ｄ断面図である。図１４は、（ａ）は役物が退避位置にある状態を示す概略構造図であり、（ｂ）は役物が前面位置にある状態を示す概略構造図であり、（ｃ）は役物の被覆部が開放した状態を示す概略構造図である。図１５は、（ａ）は役物が退避位置にある状態を示す外観図であり、（ｂ）は役物が前面位置に位置している外観図であり、（ｃ）は被覆部が開放した状態を示す外観図である。尚、以下の説明において、図４の手前側を役物ユニットの前面側、奥側を役物ユニットの背面側として説明する。
【００６８】
図４〜図６に示すように、役物ユニット２００は、前面中央位置に横長長方形状の凹部２０３が形成された四角枠状の枠体２０２と、表示部９ａを前面に臨ませるように凹部２０３内に組み付けられる演出表示装置９（図４〜図６では図示略）と、演出表示装置９の前面側に組み付けられ、役物２０１及び該役物２０１を駆動する駆動機構を有する正面視略Ｌ字形の駆動ユニット２０４（図７参照）と、から主に構成されている。
【００６９】
図３に示すように、遊技盤６には、演出表示装置９の表示部９ａを前面側から視認するための開口部６ａが形成されているとともに、該開口部６ａの周囲には環状のステージ飾り１１が配設されており、枠体２０２は、遊技盤６の背面に凹部２０３の前面開口をステージ飾り１１の後端開口に臨ませるように取り付けられる。
【００７０】
図４〜図６に示すように、役物２０１は、本実施例では短刀を模したフィギュアからなり、所定長さに形成された正面視帯状の刀部２１０と、該刀部２１０の右側に設けられる柄部２１１と、刀部２１０を被覆するように配設される鞘部２１２と、から構成される。このように構成される役物２０１は、図４に示すように、凹部２０３の下辺部に沿って水平に配置される退避位置と、図５及び図６に示すように、凹部２０３の開口の対角線上に傾斜状に配置される前面位置との間で、右端部を中心に回動可能に設けられている。
【００７１】
詳しくは、柄部２１１の右端部は凹部２０３の右下角部近傍に軸支され、昇降モータ８１の駆動により前後方向を向く軸心周りに回動する。鞘部２１２は、左端部が凹部２０３の左辺部に沿って上下方向に移動可能に案内されているとともに、刀部２１０に対して長手方向に相対移動可能に設けられている。よって、役物２０１全体は長手手方向に伸縮可能に構成されている。また、鞘部２１２及び柄部２１１は上下に分割可能に構成され、長手方向に対して直交する幅方向に移動可能に設けられており、開閉モータ８３の駆動により幅方向に移動することで、刀部２１０の前面及び柄部２１１の内部を開閉する。
【００７２】
図７に示すように、駆動ユニット２０４は、凹部２０３の左辺部に配置される上下方向を向く垂直部２２０ａと、該垂直部２２０ａの下端から右側に向けて延設される水平部２２０ｂと、から略正面視Ｌ字形に形成された駆動ベース２２０と、駆動ベース２２０の前面側に組み付けられる各種部材と、から構成される。駆動ベース２２０の背面には、正面視Ｌ字形をなす金属製の補強板金２２１が複数のネジ２２１ａにより取り付けられている。また、水平部２２０ｂの右側下部には、昇降モータ８１及び開閉モータ８３の配線を集約して演出制御基板９０に接続するための役物中継基板２２２がネジ２２２ａにより取り付けられる基板取付部２２３が下方に垂設されているとともに、該基板取付部２２３の前面にはカバー部材２２４がネジ２２４ａにより取り付けられている。
【００７３】
基板取付部２２３の上方には、刀部２１０を回動自在に支持する回動軸２２５の後端が嵌合される嵌合穴が前面に形成された軸用ボス２２６が前方に突設されており、嵌合穴に嵌合された前後方向を向く回動軸２２５の後端面に背面側からネジ２２５ａを螺入することで回動軸２２５が取り付けられる。尚、回動軸２２５の先端にはワッシャ２２７が嵌装されて後述する回動支持板２５０の逸脱が規制されている。
【００７４】
垂直部２２０ａの上下部には、外周面に螺旋状溝２２８ａが形成された昇降用ボルト２２８の上下端部を軸心周りに回動自在に支持する支持穴２２９ａ，２２９ｂが設けられており、昇降用ボルト２２８を上下方向に立設した状態で軸心周りに回動自在に支持する。
【００７５】
昇降用ボルト２２８の外周には、内周面に螺旋状溝２２８ａに係合可能な係合突起（図示略）が形成された上下方向に延びる挿通孔２３１が左端部に形成された移動支持部材２３０が昇降可能に装着される。また、移動支持部材２３０の右端部には、前後方向に貫通する貫通孔２３２が形成され、該貫通孔２３２の背面側から取り付けられる軸ネジ２３４により後述する移動支持板２８０の右端部に回動自在に軸支される。
【００７６】
下方の支持穴２２９ｂに挿通され下方に突出した昇降用ボルト２２８の下端には、昇降モータ８１の出力軸８１ａに固着される駆動ギヤ２３６に噛合する従動ギヤ２３５が固着されている。これら駆動ギヤ２３６及び従動ギヤ２３５は、水平部２２０ｂの下面にネジ２３７ａにより取り付けられ、下面に昇降モータ８１が配設されるギヤカバー２３７により被覆されている。
【００７７】
このように挿通孔２３１を昇降用ボルト２２８に挿通することにより装着される移動支持部材２３０は、後述する移動支持板２８０に軸支されることで昇降用ボルト２２８に対して相対回動不能に保持され、昇降モータ８１の駆動により昇降用ボルト２２８の螺旋状溝２２８ａが軸心周りに回転することで、該螺旋状溝２２８ａに係合された係合突起（図示略）が上下動し、これにより移動支持部材２３０が昇降用ボルト２２８に沿って長手方向（上下方向）に移動案内される。
【００７８】
また、垂直部２２０ａの下部における昇降用ボルト２２８の下端近傍には、移動支持部材２３０の挿通孔２３１の周面から左方に突設された被検出片２３３を検出可能な昇降センサ８２がネジ８２ａにより取り付けられており、移動支持部材２３０が後述する下限位置に位置していることを検出できるようになっている。
【００７９】
次に、役物２０１を構成する各種部材について説明すると、役物２０１は、右端部が固定支持部としての回動軸２２５に軸支される第１可動部としての帯板状の回動支持板２５０と、左端部が移動支持部としての移動支持部材２３０に支持され、回動支持板２５０に対して長手方向に相対移動可能に連結される第２可動部としての帯板状の移動支持板２８０と、回動支持板２５０に対して長手方向に向けて移動可能に配設され、後述する柄部カバー３８０及び鞘部カバー３９０を開閉させるための帯板状のスライド板３１０及びリンク部材３３０，３４０（図１０参照）と、側面視略コ字形の柄部カバー３８０及び鞘部カバー３９０と、から主に構成される。
【００８０】
図８に示すように、回動支持板２５０は、正面視横長帯板状をなすとともに、その右端部には水平なモータ支持台２５１が形成されており、該モータ支持台２５１の上面には、開閉モータ８３が出力軸８３ａを下向きにした状態でネジ２５１ａにより取り付けられている。モータ支持台２５１に形成された挿通孔２５２から下方に突出した上下方向を向く出力軸８３ａの先端にはピニオンギヤ２５３が固着されている。また、モータ支持台２５１の下面には、スライド板３１０の位置を検出するための開閉センサ８４がネジ８４ａにより取り付けられているとともに、出力軸８３ａの左側には、回動軸２２５が挿通可能な軸受孔２５４が前後に開口するように設けられている。
【００８１】
尚、このように開閉モータ８３が回動支持板２５０の回動軸心となる回動軸２２５が挿通される軸受孔２５４よりもやや右側にずれた位置に配置されることで、回動支持板２５０の重心バランスが左側に偏ることが防止されるため、昇降モータ８１の特に上昇駆動時における負荷が軽減される。
【００８２】
回動支持板２５０の前面には、前面に複数の役物用ＬＥＤ８５が長手方向に向けて直線状に配列された役物ＬＥＤ基板２５５が複数のネジ２５５ａにより取り付けられるとともに、位置決め用の位置決め突部２５６が複数箇所に突設されている。役物ＬＥＤ基板２５５の前面には、役物用ＬＥＤ８５からの光を透過可能な透明な合成樹脂材にて断面コ字形に形成されるレンズカバー２５７が複数のネジ２５７ａにより背面側から止着され、役物ＬＥＤ基板２５５の前面が被覆される。
【００８３】
レンズカバー２５７は、長手幅寸法Ｌ１が演出表示装置９の表示部９ａの対角線幅寸法Ｌ２とほぼ同寸（図１５参照）、つまり、表示部９ａの左右幅寸法Ｌ３よりも長寸に形成されており（Ｌ１≒Ｌ２＞Ｌ３）、水平部２２０ｂに配置されたときに昇降用ボルト２２８の前方に配置される左端部には、該昇降用ボルト２２８との干渉を回避するための切欠部２５８が形成されている。
【００８４】
レンズカバー２５７の前面における右側約１／４の柄部領域Ｚ１に対し、左側の約３／４の刀部領域Ｚ２は背面側に凹設されて該柄部領域Ｚ１と刀部領域Ｚ２との間には段部が形成されている。また、刀部領域Ｚ２における右側約１／３は、後述する鞘部カバー３９０により開閉される開閉領域Ｚ３（装飾部）とされており、該開閉領域Ｚ３の上下幅寸法は、他の領域の上下幅寸法よりも幅広に形成されている。尚、開閉領域Ｚ３に対応する役物用ＬＥＤ８５は他の領域に対応する役物用ＬＥＤ８５よりも密な間隔で配置されて強く発光するようになっている。
【００８５】
回動支持板２５０の背面所定箇所には、スライド板３１０及び移動支持板２８０を長手方向に移動自在に支持する所定長さを有する取付用ボス２６１ａ，２６１ｂ及び位置決め用ボス２６２ａ，２６２ｂが突設されており、該取付用ボス２６１ａ，２６１ｂの後端には、金属製の保持板金２６０が位置決め用ボス２６２ａ，２６２ｂに位置決めされた状態でネジ２６０ａにより取り付けられている。保持板金２６０は、これら取付用ボス２６１ａ，２６１ｂ及び位置決め用ボス２６２ａ，２６２ｂにより回動支持板２５０に対して所定幅離間して配置され、これらの間にスライド板３１０及び移動支持板２８０を左右方向に移動自在に保持している（図１１（ｂ）参照）。また、保持板金２６０の右端部における軸受孔２５４に対応する箇所には、回動軸２２５を挿通可能な丸穴２６３が形成されている。
【００８６】
また、回動支持板２５０の背面右側には、後述する第１リンク片３３０ａ，３３０ｂが嵌合される左右一対のガイド凹部２６７，２６７（図中右側のガイド凹部２６７は図示せず）が上辺から下方に向けて凹設されているとともに、後述する第２リンク片３４０ａ，３４０ｂが嵌合される左右一対のガイド凹部２６８，２６８が下辺から上方に向けて凹設されている。
【００８７】
さらに、回動支持板２５０の背面左側には、後述する第３リンク片３５０ａ，３５０ｂが嵌合される左右一対のガイド凹部２６５，２６５が上辺から下方に向けて凹設されているとともに、後述する第４リンク片３６０ａ，３６０ｂが嵌合される左右一対のガイド凹部２６６，２６６が下辺から上方に向けて凹設されている。これらガイド凹部２６５，２６５、２６６，２６６は、第３リンク片３５０ａ，３５０ｂ及び第４リンク片３６０ａ，３６０ｂを上下方向に移動案内する、つまり左右方向への移動を規制する規制部を構成している。
【００８８】
このようにこれら回動支持板２５０、役物ＬＥＤ基板２５５、レンズカバー２５７により、所定長さを有する正面視横長帯状の刀部２１０及び柄部２１１が構成される。
【００８９】
図９に示すように、スライド板３１０は、回動支持板２５０とほぼ同寸をなす横長帯板状に形成され、その右側端部には、ピニオンギヤ２５３に噛合するラックギヤ３１１が左右方向に向けて延設されているとともに、ラックギヤ３１１の左側端部には、開閉センサ８４により検出される被検出片３１２が前向きに屈曲されている。被検出片３１２のさらに左側には、回動支持板２５０の背面に突設されたガイド軸（図示略）が挿通可能な軸挿通長孔３１３が左右方向に延設されているとともに、ガイド軸（図示略）の後端面には大径のワッシャ３１３ａがネジ３１３ｃにより取り付けられる。
【００９０】
取付用ボス２６１ａ，２６１ｂ及び位置決め用ボス２６２ａ，２６２ｂに対応する位置には、これら取付用ボス２６１ａ，２６１ｂ及び位置決め用ボス２６２ａ，２６２ｂを挿通可能なスライド孔３１４ａ，３１４ｂが左右方向に延設されており、スライド孔３１４ａ，３１４ｂに挿通される取付用ボス２６１ａ，２６１ｂ及び位置決め用ボス２６２ａ，２６２ｂにより、スライド板３１０は回動支持板２５０に対し長手方向にスライド移動自在に支持される。
【００９１】
スライド板３１０の右半部には、スライド板３１０の長手方向に対して右側に向けて下方に傾斜する傾斜部３１５ａと、該傾斜部３１５ａの両端から水平に延設される直線部３１５ｂ，３１５ｂと、からなる一対の第１傾斜溝３１５，３１５と、スライド板３１０の長手方向に対して左側に向けて下方に傾斜する傾斜部３１６ａと、該傾斜部３１６ａの両端から水平に延設される直線部３１６ｂ，３１６ｂと、からなる一対の第２傾斜溝３１６，３１６と、が長手方向に向けて交互に形成されている。具体的には、第１傾斜溝３１５と第２傾斜溝３１６とで正面視略「ハ」字形をなすように交互に配置されている。
【００９２】
また、スライド板３１０の左半部には、スライド板３１０の長手方向に対して右側に向けて下方に傾斜する傾斜部３１７ａと、該傾斜部３１７ａの両端から水平に延設される直線部３１７ｂ，３１７ｂと、からなる一対の第３傾斜溝３１７，３１７と、スライド板３１０の長手方向に対して左側に向けて下方に傾斜する傾斜部３１８ａと、該傾斜部３１８ａの両端から水平に延設される直線部３１８ｂ，３１８ｂと、からなる一対の第４傾斜溝３１８，３１８と、が長手方向に向けて交互に形成されている。具体的には、第３傾斜溝３１７と第４傾斜溝３１８とで正面視略「ハ」字形をなすように交互に配置されている。
【００９３】
第１傾斜溝３１５，３１５には、上下方向を向く左右一対の第１リンク片３３０ａ，３３０ｂの下端背面に後向きに突設された円柱状の軸部材３３１ａ，３３１ｂが前面側から摺動自在に嵌合され、第１傾斜溝３１５，３１５に嵌合された軸部材３３１ａ，３３１ｂの後端に大径のワッシャ３３１ｃがネジ３３１ｄにより取り付けられて、第１傾斜溝３１５，３１５からの軸部材３３１ａ，３３１ｂの逸脱が防止される。また、第１リンク片３３０ａ，３３０ｂの上端は、後述する上柄部カバー３８０ａの背面に取り付けられる左右方向を向く連結片３３２により連結されて一体化されている。
【００９４】
第２傾斜溝３１６，３１６には、上下方向を向く左右一対の第２リンク片３４０ａ，３４０ｂの上端背面に後向きに突設された円柱状の軸部材３４１ａ，３４１ｂが前面側から摺動自在に嵌合され、第２傾斜溝３１６，３１６に嵌合された軸部材３４１ａ，３４１ｂの後端に大径のワッシャ３４１ｃがネジ３４１ｄにより取り付けられて、第２傾斜溝３１６，３１６からの軸部材３４１ａ，３４１ｂの逸脱が防止される。また、第２リンク片３４０ａ，３４０ｂの下端は、後述する下柄部カバー３８０ｂの背面に取り付けられる左右方向を向く連結片３４２により連結されて一体化されている。
【００９５】
第３傾斜溝３１７，３１７には、上下方向を向く左右一対の第３リンク片３５０ａ，３５０ｂの下端背面に後向きに突設された円柱状の軸部材３５１ａ，３５１ｂが前面側から摺動自在に嵌合され、第３傾斜溝３１７，３１７に嵌合された軸部材３５１ａ，３５１ｂの後端に大径のワッシャ３５１ｃがネジ３５１ｄにより取り付けられて、第３傾斜溝３１７，３１７からの軸部材３５１ａ，３５１ｂの逸脱が防止される。また、第３リンク片３５０ａ，３５０ｂの上端背面には、後述する上鞘部カバー３９０ａの背面に取り付けられる上ガイドレール２９０ａに摺動自在に嵌合される軸部材３５２ａ，３５２ｂが突設されている。
【００９６】
第４傾斜溝３１８，３１８には、上下方向を向く左右一対の第４リンク片３６０ａ，３６０ｂの上端背面に後向きに突設された円柱状の軸部材３６１ａ，３６１ｂが前面側から摺動自在に嵌合され、第４傾斜溝３１８，３１８に嵌合された軸部材３６１ａ，３６１ｂの後端に大径のワッシャ３６１ｃがネジ３６１ｄにより取り付けられて、第４傾斜溝３１８，３１８からの軸部材３６１ａ，３６１ｂの逸脱が防止される。また、第４リンク片３６０ａ，３６０ｂの上端背面には、後述する下鞘部カバー３９０ｂの背面に取り付けられる下ガイドレール２９０ｂに摺動自在に嵌合される軸部材３６２ａ，３６２ｂが突設されている。
【００９７】
図１０に示すように、スライド板３１０の背面側には、移動支持部材２３０に左端部が回動自在に支持され、回動支持板２５０に対して長手方向に相対移動可能に連結支持される帯板状の移動支持板２８０が配置される。移動支持板２８０は、取付用ボス２６１ａ，２６１ｂ及び位置決め用ボス２６２ａ，２６２ｂを挿通可能なスライド長孔２８１ａ，２８１ｂが左右方向に延設されているとともに、その間には、上下方向に延設される上ガイド縦溝２８２ａと下ガイド縦溝２８２ｂとが左右に並設されている。また、左端部には、移動支持部材２３０の貫通孔２３２の背面側から取り付けられる軸ネジ２３４（図７参照）が螺入される前後に開口する軸ネジ孔２８３が形成されており、移動支持部材２３０に対して前後方向を向く軸ネジ２３４を中心として回動自在に軸支される。
【００９８】
第３リンク片３５０ａ，３５０ｂは、上鞘部カバー３９０ａの背面にネジ２９２ｃ（図７参照）により取り付けられるガイドベース２９２ａと、該ガイドベース２９２ａの背面にネジ２９１ｃ（図７参照）により取り付けられる断面コ字形のガイドカバー２９１ａと、からなる上ガイドレール２９０ａに、軸部材３５２ａ，３５２ｂが長手方向に摺動自在に嵌合されている。上ガイドレール２９０ａの下面には、第３リンク片３５０ａ，３５０ｂが挿通されるガイド溝部２９０ｄ（図１１（ｂ）参照）が長手方向に延設されている。
【００９９】
ガイドカバー２９１ａの右側下端からは、逆三角形状のフック片２９３ａが垂下されており、該フック片２９３ａの前面下端には、上ガイド縦溝２８２ａに背面側から嵌合されるガイドピン２９４ａが前向きに突設されている。これにより上ガイドレール２９０ａは、移動支持板２８０に対して長手方向に相対移動不能、かつ、上下方向に相対移動可能に連結されている。
【０１００】
第４リンク片３６０ａ，３６０ｂは、下鞘部カバー３９０ｂの背面にネジ２９２ｄ（図７参照）により取り付けられるガイドベース２９２ｂと、該ガイドベース２９２ｂの背面にネジ２９１ｄ（図７参照）により取り付けられる断面コ字形のガイドカバー２９１ｂと、からなる下ガイドレール２９０ｂに、軸部材３６２ａ，３６２ｂが長手方向に摺動自在に嵌合されている。下ガイドレール２９０ｂの上面には、第４リンク片３６０ａ，３６０ｂが挿通されるガイド溝部２９０ｆ（図１１（ｂ）参照）が長手方向に延設されている。
【０１０１】
ガイドカバー２９１ｂの右側上端からは、三角形状のフック片２９３ｂが上方に延設されており、該フック片２９３ｂの前面上端には、下ガイド縦溝２８２ｂに背面側から嵌合されるガイドピン２９４ｂが前向きに突設されている。これにより下ガイドレール２９０ｂは、移動支持板２８０に対して長手方向に相対移動不能、かつ、上下方向に相対移動可能に連結されている。
【０１０２】
次に、このように構成された役物２０１の作動状況について、図１１〜図１５にもとづいて説明する。
【０１０３】
役物２０１は、右端部に配置された前後方向を向く回動軸２２５の軸心周りに回動自在に軸支される回動支持板２５０と、該回動支持板２５０に対して、左右一対の取付用ボス２６１ａ，２６１ｂ（位置決め用ボス２６２ａ，２６２ｂ）が挿通されるスライド長孔２８１ａ，２８１ｂを介して長手方向に摺動自在に連結され、左端部が移動支持部材２３０に前後方向を向く軸ネジ２３４の軸心周りに回動自在に軸支された移動支持板２８０と、により長手方向に伸縮自在に構成されており、図１５（ａ）に示すように、横長長方形状に形成された表示部９ａの下辺部の下側に水平に配置される退避位置と、図１５（ｂ）（ｃ）に示すように、表示部９ａの対角線上に傾斜状に配置される前面位置と、の間で右端部の回動軸心２２５を中心に回動可能に設けられている。
【０１０４】
より詳しくは、第２可動部としての移動支持板２８０は、第１可動部としての回動支持板２５０に対し、固定支持部としての回動軸２２５の軸心と移動支持部としての移動支持部材２３０の軸ネジ２３４の軸心とを結ぶ直線方向にスライド移動可能に連結されているため、移動支持部材２３０の上下移動に応じて回動支持板２５０に対し出退する。言い換えると、右端部が回動軸２２５に軸支された回動支持板２５０と、左端部が軸ネジ２３４を介して移動支持部材２３０に軸支された移動支持板２８０とは、移動支持部材２３０の上下移動に応じて、一方の軸支部の反対側の遊端部が他方の軸支部に対向する姿勢を維持したまま相対移動するように連結されている。
【０１０５】
回動支持板２５０と移動支持板２８０とは、左右一対の取付用ボス２６１ａ，２６１ｂ（位置決め用ボス２６２ａ，２６２ｂ）により互いに長手方向に相対移動自在に連結される。また、挿通孔２３１を介して昇降用ボルト２２８に嵌挿された移動支持部材２３０は、回動支持板２５０に連結された移動支持板２８０に軸支されることにより昇降用ボルト２２８に対して相対回動不能に保持されている。
【０１０６】
回動支持板２５０及び移動支持板２８０の回動は、移動支持部材２３０の昇降により行われる。具体的には、昇降モータ８１の駆動により昇降用ボルト２２８及び螺旋状溝２２８ａが軸心周りに正逆回転することにより、螺旋状溝２２８ａに係合する挿通孔２３１の内周面の係合突起（図示略）が螺旋状溝２２８ａにより上方に押し上げ、または下方に押し下げられ、これにより移動支持部材２３０が上方または下方に移動する。よって、右端部の回動軸２２５を中心として回動支持板２５０及び移動支持板２８０の左端部が上昇または下降することにより回動する。
【０１０７】
また、図１４に示すように、移動支持部材２３０は、退避位置において回動軸２２５から移動支持板２８０を回動自在に支持する軸ネジ２３４までの距離が距離Ｐ１となる下限位置と、前面位置において回動軸２２５から移動支持板２８０を回動自在に支持する軸ネジ２３４までの距離が距離Ｐ１よりも長い距離Ｐ２となる上限位置と、の間で下限位置と上限位置とを結ぶ直線上を往復動する。
【０１０８】
よって、移動支持部材２３０の上下動により回動軸２２５から軸ネジ２３４までの距離Ｐが漸次変化するのに応じて、右端部が回動軸２２５に軸支された回動支持板２５０に対し、左端部が移動支持部材２３０に軸支された移動支持板２８０が長手方向に相対移動するため、役物２０１は、回動動作に応じてその長手幅寸法が伸縮する。
【０１０９】
移動支持板２８０には、鞘部カバー３９０ａ，３９０ｂに取り付けられるガイドレール２９０ａ，２９０ｂが移動支持板２８０に対して上下方向に移動可能、かつ、長手方向に移動不能に連結されている。つまり、鞘部カバー３９０ａ，３９０ｂは、移動支持板２８０とともに移動支持板２８０に対して長手方向に摺動自在とされている。
【０１１０】
また、回動支持板２５０に対して長手方向にスライド移動自在に支持されたスライド板３１０には、リンク片３３０ａ，３３０ｂを介して上柄部カバー３８０ａが取り付けられ、リンク片３４０ａ，３４０ｂを介して下柄部カバー３８０ｂが取り付けられ、リンク片３５０ａ，３５０ｂを介して上鞘部カバー３９０ａが取り付けられ、リンク片３６０ａ，３６０ｂを介して下鞘部カバー３９０ｂが取り付けられている。
【０１１１】
尚、上柄部カバー３８０ａ及び下柄部カバー３８０ｂは、一端がスライド板３１０に支持された左右一対のリンク片３３０ａ，３３０ｂ、３４０ａ，３４０ｂにより回動支持板２５０に対して平行に支持される。また、上鞘部カバー３９０ａ及び下鞘部カバー３９０ｂは、一端がスライド板３１０に支持された左右一対のリンク片３５０ａ，３５０ｂ、３６０ａ，３６０ｂにより回動支持板２５０に対して平行に支持される。
【０１１２】
よって、開閉モータ８３を駆動することによりピニオンギヤ２５３が正逆回動することで、該ピニオンギヤ２５３に噛合するラックギヤ３１１を有するスライド板３１０が回動支持板２５０に対して長手方向に移動する。そしてこの移動により上柄部カバー３８０ａ、下柄部カバー３８０ｂ、上鞘部カバー３９０ａ、下鞘部カバー３９０ｂが長手方向に対して直交する方向、つまり幅方向に移動して、レンズカバー２５７の前面における幅方向の中央位置を長手方向にわたり開閉する。
【０１１３】
図１１及び図１４（ａ）には、役物２０１が退避位置に位置している状態が示されている。この状態において、移動支持板２８０は、回動支持板２５０に対して縮小した位置に配置され、取付用ボス２６１ａ，２６１ｂ（位置決め用ボス２６２ａ，２６２ｂ）はスライド長孔２８１ａ，２８１ｂの左端部に配置される。また、各リンク片３３０ａ，３３０ｂ、３４０ａ，３４０ｂ、３５０ａ，３５０ｂ、３６０ａ，３６０ｂの軸部材３３１ａ，３３１ｂ、３４１ａ，３４１ｂ、３５１ａ，３５１ｂ、３６１ａ，３６１ｂは、各傾斜溝３１５〜３１８における幅方向の中心位置側の直線部３１５ｂ〜３１８ｂに配置されており、上柄部カバー３８０ａと下柄部カバー３８０ｂ及び上鞘部カバー３９０ａと下鞘部カバー３９０ｂは、互いの対向端辺同士が当接する閉鎖位置に位置している（図１５（ａ）参照）。
【０１１４】
ここで、昇降モータ８１が駆動して回動支持板２５０が回動軸２２５周りに回動すると、図１２及び図１４（ｂ）に示すように、移動支持板２８０は、回動支持板２５０に対して長手方向（左側）に相対移動し、前面位置に到達したときに、取付用ボス２６１ａ，２６１ｂ（位置決め用ボス２６２ａ，２６２ｂ）はスライド長孔２８１ａ，２８１ｂの右端部に配置される。また、移動支持板２８０の移動に伴い、ガイドレール２９０ａ，２９０ｂも左側に移動する。これにより、上鞘部カバー３９０ａ及び下鞘部カバー３９０ｂがレンズカバー２５７に対して左側に移動し、レンズカバー２５７の前面における開閉領域Ｚ３（図８参照）、つまり刀部２１０の基端部（装飾部）が露呈されるため、該開閉領域Ｚ３の背面側に位置する役物用ＬＥＤ８５を発光させることにより、開閉領域Ｚ３が装飾される（図１５（ｂ）参照）。
【０１１５】
また、このとき各リンク片３５０ａ，３５０ｂ、３６０ａ，３６０ｂは、ガイド凹部２６５，２６６に嵌合されて左右方向の移動が規制されているとともに、軸部材３５１ａ，３５１ｂ、３６１ａ，３６１ｂが各傾斜溝３１７，３１８における幅方向の中心位置側の直線部３１７ｂ，３１８ｂに配置されていることで、各リンク片３５０ａ，３５０ｂ、３６０ａ，３６０ｂに対しガイドレール２９０ａ，２９０ｂのみが左側に相対的に水平移動する。よって、上柄部カバー３８０ａと下柄部カバー３８０ｂ及び上鞘部カバー３９０ａと下鞘部カバー３９０ｂは、互いの対向端辺同士が当接する閉鎖位置に位置したまま、左側に移動することになる（図１５（ｂ）参照）。また、移動支持板２８０の移動に伴いスライド板３１０が移動することはない。
【０１１６】
そして、役物２０１が前面位置に位置したときに、開閉モータ８３が駆動してピニオンギヤ２５３が回転すると、図１３及び図１５（ｃ）に示すように、スライド板３１０が回動支持板２５０及び移動支持板２８０に対して長手方向右側に相対移動し、取付用ボス２６１ａ，２６１ｂ（位置決め用ボス２６２ａ，２６２ｂ）はスライド孔３１４ａ，３１４ｂの左端部に配置される。そしてこのスライド板３１０の移動に伴い、各傾斜溝３１５〜３１８が右側に移動することで、ガイド凹部２６５〜２６８に嵌合されて左右方向の移動が規制されている各リンク片３３０ａ，３３０ｂ、３４０ａ，３４０ｂ、３５０ａ，３５０ｂ、３６０ａ，３６０ｂの軸部材３３１ａ，３３１ｂ、３４１ａ，３４１ｂ、３５１ａ，３５１ｂ、３６１ａ，３６１ｂに、傾斜部３１５ａ〜３１８ａが接近してきて該傾斜部３１５ａ〜３１８ａにて軸部材３３１ａ，３３１ｂ、３４１ａ，３４１ｂ、３５１ａ，３５１ｂ、３６１ａ，３６１ｂを幅方向に押し出すため、軸部材は反対側の直線部３１３ｂ〜３１８ｂに配置される。つまり、各リンク片３３０ａ，３３０ｂ、３４０ａ，３４０ｂ、３５０ａ，３５０ｂ、３６０ａ，３６０ｂはガイド凹部２６５〜２６８に嵌合されて左右方向の移動が規制されているため、スライド板３１０の移動により、軸部材３３１ａ，３３１ｂ、３４１ａ，３４１ｂ、３５１ａ，３５１ｂ、３６１ａ，３６１ｂが傾斜部３１５ａ〜３１８ａにより幅方向に移動させられる。
【０１１７】
このように各軸部材３３１ａ，３３１ｂ、３４１ａ，３４１ｂ、３５１ａ，３５１ｂ、３６１ａ，３６１ｂがスライド板３１０の幅方向の端部側にそれぞれ移動することで、上柄部カバー３８０ａと下柄部カバー３８０ｂ及び上鞘部カバー３９０ａと下鞘部カバー３９０ｂは、互いの対向端辺同士が離間する開放位置に移動する。よって、レンズカバー２５７の前面における幅方向の中央部、つまり刀部２１０及び柄部２１１の幅方向の中央部（役物用ＬＥＤ８５に対応する位置）が長手方向にわたり帯状に露呈されるため、各役物用ＬＥＤ８５を発光させることにより、刀部２１０及び柄部２１１が装飾される（図１５（ｃ）参照）。
【０１１８】
また、このように構成された役物ユニット２００においては、役物２０１が表示部９ａの下方に水平に配置されている状態を、演出制御用マイクロコンピュータ（図示略）による駆動制御における初期位置として設定している。そして、演出制御用マイクロコンピュータ（図示略）から役物２０１の上昇動作指令が出力されると、ステッピングモータからなる昇降モータ８１に上昇動作方向への駆動指令が送信される。これにより、昇降モータ８１はそれぞれ予め設定されたステップ数の駆動動作を開始する。
【０１１９】
また、演出制御用マイクロコンピュータ（図示略）から役物２０１の下降動作指令が出力されると、ステッピングモータからなる昇降モータ８１に下降動作方向への駆動指令が送信される。これにより、昇降モータ８１はそれぞれ予め設定されたステップ数の駆動動作を開始する。
【０１２０】
そして、役物２０１が退避位置に到達すると（図１４（ａ）参照）、昇降センサ８２からの被検出片２３３の検出信号が入力され（昇降センサ８２；ｏｎ）、昇降モータ８１の下降動作の駆動が停止される。
【０１２１】
また、役物２０１が前面位置に到達したときに、演出制御用マイクロコンピュータ（図示略）から鞘部カバー３９０の開閉動作指令が出力されると、ステッピングモータからなる開閉モータ８３に開放動作方向（スライド板３１０の右側への移動）への駆動指令が送信される。これにより、開閉モータ８３はそれぞれ予め設定されたステップ数の駆動動作を開始する。
【０１２２】
また、演出制御用マイクロコンピュータ（図示略）から鞘部カバー３９０の閉鎖動作指令が出力されると、ステッピングモータからなる開閉モータ８３に閉鎖動作方向（スライド板３１０の左側への移動）への駆動指令が送信される。これにより、開閉モータ８３はそれぞれ予め設定されたステップ数の駆動動作を開始する。
【０１２３】
そして、鞘部カバー３９０が閉鎖位置に到達すると（図１４（ｂ）参照）、開閉センサ８４からの被検出片３１２の検出信号が入力され（開閉センサ８４；ｏｎ）、開閉モータ８３の閉鎖動作の駆動が停止される。
【０１２４】
また、演出制御用マイクロコンピュータ（図示略）は、役物２０１の駆動制御を、例えば遊技状態が第１特別図柄表示器８ａや第２特別図柄表示器８ｂに特定表示結果（大当り図柄）が導出表示される確率が高くなる確率変動状態に移行した場合、可変入賞球装置１５に遊技球が始動入賞しやすくなる高ベース状態に移行した場合、大当り遊技状態に移行した場合等の遊技状態の移行に応じて行ったり、演出表示装置９の表示部９ａにて様々な演出（例えばリーチ演出等）が実行される場合や操作ボタン５０による操作がなされた場合等の適宜タイミングで行ってもよい。
【０１２５】
さらに、役物２０１を、各遊技状態に制御されている間や演出表示装置９で演出が実行されている場合において前面位置または退避位置のいずれかに配置させるだけでなく、前面位置と退避位置との間で上下回動を繰り返すような制御を行ってもよい。
【０１２６】
なお、演出制御用マイクロコンピュータ（図示略）は、パチンコ遊技機１の電源投入時等の所定のタイミングで、昇降モータ８１や開閉モータ８３に所定の初期動作を行わせ、動作確認を行うようになっている。この初期動作では、例えば昇降モータ８１や開閉モータ８３を昇降及び開閉動作させ、昇降センサ８２、開閉センサ８４が正常にｏｎ／ｏｆｆされるかが確認される。
【０１２７】
また、演出制御用マイクロコンピュータ（図示略）は、例えば昇降モータ８１や開閉モータ８３を動作させる際に、昇降モータ８１や開閉モータ８３の動作量が所定の最大ステップ数を超えても昇降センサ８２や開閉センサ８４からの検出信号が入力されない場合には、所定のリトライ動作を行い、それでも昇降センサ８２や開閉センサ８４からの検出信号が入力されない場合には異常状態と判定するようになっている。
【０１２８】
このリトライ動作では、例えば昇降モータ８１を退避動作方向に所定ステップ数、退避動作方向に突出動作方向よりも多い所定ステップ数作動させるようになっている。なお、異常状態と判定した場合、その旨を演出表示装置９による表示や、音やＬＥＤ等により報知してもよいし、報知することなく、演出表示装置９により役物２０１と略同様の短刀が動作する動画像を表示して演出を行うようにしてもよい。
【０１２９】
以上説明してきたように、本発明の実施例としての役物ユニット２００にあっては、昇降モータ８１の駆動により、移動支持部としての移動支持部材２３０が下限位置から上限位置に移動するのに応じて、第１可動部としての回動支持板２５０が固定支持部としての回動軸２２５の軸心を中心に回動するとともに、第２可動部としての移動支持板２８０が回動支持板２５０に対して離れるように移動することにより、移動支持部材２３０の移動に応じて回動軸２２５の軸心をずらさなくても、移動支持部材２３０を回動軸２２５からの距離及び方向が異なる下限位置と上限位置との間で移動させることができる。よって、構造を複雑化することなく、役物２０１の可動形態を変化させることができるとともに、昇降モータ８１とは別個の駆動手段を用いることなく、移動支持部材２３０の移動に応じて移動支持板２８０が回動支持板２５０に対し離れたり近づいたりすることで装飾部としての刀部２１０の開閉領域Ｚ３が被覆部としての鞘部カバー３９０により開閉されることによって装飾態様に変化を持たせることができるため、興趣を向上させることができる。
【０１３０】
また、図１５（ｂ）（ｃ）に示すように、役物２０１は、移動支持部材２３０が下限位置に位置したときに表示部９ａから退避する退避位置に配置され、上限位置に位置したときに遊技者の視線が集まる表示部９ａと重畳する前面位置に配置されることで、遊技者が役物２０１を注視しやすくなるため、装飾部の装飾効果が高まるとともに、遊技の興趣が向上する。さらに、移動支持部材２３０が上限位置に位置したときに、刀部２１０における装飾部としての開閉領域Ｚ３が表示部９ａの略中央位置に配置されることにより、装飾部の装飾効果が効果的に高まる。
【０１３１】
また、図１５（ｂ）（ｃ）に示すように、このように役物２０１が前面位置に配置したときに、演出制御用マイクロコンピュータ（図示略）が役物２０１、特に装飾部を注視させるような背景画像を表示部９ａに表示する制御を行うことで、役物２０１の装飾効果をより一層高めることができる。
【０１３２】
尚、本実施例では、表示手段の一例として画像を表示可能な液晶表示器からなる演出表示装置９が適用されていたが、遊技に関連する情報（例えば遊技に関連する演出画像や装飾図柄等）を表示可能な表示装置であれば、例えば複数のＬＥＤをマトリックス状に配置した表示器やセグメント表示器等を適用してもよい。
【０１３３】
また、役物２０１は、透光性部材にて構成されたレンズカバー２５７を内側から発光させる役物用ＬＥＤ８５を備えることで、開放された刀部２１０及び鞘部２１２をより目立たせることができるため、装飾効果が高まる。尚、役物用ＬＥＤ８５は、少なくとも移動支持部材２３０が第２位置に位置したときに発光するように制御されていればよく、第２位置に移動したときに必ずしも発光させなくてもよいし、移動支持部材２３０が第２位置以外の位置に位置しているときに発光させてもよい。
【０１３４】
尚、本実施例では、装飾部を構成するレンズカバー２５７を役物用ＬＥＤ８５により背面側から発光させていたが、装飾部を発光させることが可能であれば、光源は役物用ＬＥＤ８５に限定されるものではなく、ランプや冷陰極管等であってもよいし、また、役物用ＬＥＤ８５等の光源の配置位置はレンズカバー２５７の背面（内側）に限定されるものではなく、例えばレンズカバー２５７の左右端面等に向けて発光可能に役物用ＬＥＤ８５を設け、レンズカバー２５７の表面を面発光させるようにしてもよい。
【０１３５】
また、被覆部としての鞘部カバー３９０は第２可動部としての移動支持板２８０に設けられ、移動支持板２８０の移動方向に配設されるガイド溝としてのガイド溝部２９０ｄ，２９０ｆを有し、第１可動部としての回動支持板２５０は、移動支持板２８０の移動方向にスライド移動可能に延設され、該方向に対して傾斜する傾斜溝３１７，３１８が形成されたスライド板３１０と、昇降モータ８１とは別個に回動支持板２５０における回動軸２２５の軸心近傍に設けられ、スライド板３１０を駆動するスライド板駆動手段としての開閉モータ８３と、を有し、役物２０１は、さらに一端が傾斜溝３１７，３１８に摺動可能に係合され、他端が傾斜溝３１７，３１８に摺動可能に係合されるリンク片３５０ａ，３５０ｂ、３６０ａ，３６０ｂを有し、回動支持板２５０は、さらに傾斜溝３１７，３１８に係合されたリンク片３５０ａ，３５０ｂ、３６０ａ，３６０ｂの左右方向への移動を規制する規制部としてのガイド凹部２６５，２６６を有し、スライド板３１０のスライド移動によりリンク片３５０ａ，３５０ｂ、３６０ａ，３６０ｂを移動させ、該移動により鞘部カバー３９０を上下幅方向に移動させるようになっていることで、役物２０１の多彩な動作により興趣を高めるとともに、鞘部カバー３９０とスライド板３１０とが連結されていないことで、移動支持板２８０とともに鞘部カバー３９０が回動支持板２５０に対し離れる方向に移動しても、鞘部カバー３９０を上下に開放することができる。
【０１３６】
また、移動支持板２８０に設けられる鞘部カバー３９０を移動させる開閉モータ８３を、移動支持部材２３０とともに上下動する回動支持板２８０ではなく回動支持板２５０に配設していることで、開閉モータ８３の駆動時に該開閉モータ８３の荷重がかかることがないので、駆動負荷が軽減される。
【０１３７】
また、装飾部を構成するレンズカバー２５７は、移動支持部材２３０が上限位置に位置したときにおける移動支持部材２３０の近傍位置まで延設されている、つまり回動軸２２５から上限位置までの距離に対応した長さに形成されていることで、例えば回動軸２２５の軸心から上限位置までの距離Ｐ２を長く設計した場合でも、移動支持板２８０とともに鞘部カバー３９０が回動支持板２５０から離れる方向に移動したときにはレンズカバー２５７が確実に露呈されるため、設計変更等があった場合でも鞘部カバー３９０を使用することができる。
【０１３８】
また、本実施例では、役物２０１の一例として短刀のフィギュアが適用されていたが、回動動作に応じて伸縮することで装飾部が開閉されるものであれば形態は種々に変更可能である。
【０１３９】
また、本実施例では、移動支持部材２３０は下限位置と上限位置との間で直線移動可能に設けられていたが、直線移動するものに限定されるものではなく、回動軸２２５からの距離及び方向が異なる２点間を移動するようになっていれば、非直線上を移動（円弧線上や屈曲線上等）を移動するものでもよい。
【０１４０】
また、本実施例では、移動支持部材２３０は回動軸２２５からの距離及び方向が異なる２点である下限位置と上限位置との間を往復動可能に設けられていたが、回動軸２２５からの距離が異なる２点を通過可能に設けられていてもよい。
【０１４１】
また、本実施例の役物２０１は、右端部が表示部９ａの右下角部近傍に軸支され、移動支持部材２３０が表示部９ａの左側辺に沿って上下動可能に設けられていたが、例えば右端部が表示部９ａの右上角部近傍に軸支され、移動支持部材２３０が表示部９ａの左側辺に沿って上下動可能に設けられていてもよいし、左端部が表示部９ａの左下角部または左上角部近傍に軸支され、移動支持部材２３０が表示部９ａの右側辺に沿って上下動可能に設けられていてもよいし、あるいは一端部が表示部９ａの一辺上に軸支され、移動支持部材２３０が表示部９ａの対向辺に沿って移動可能に設けられていてもよい。すなわち、回動軸心の配置位置や移動支持部材２３０の移動方向は種々に変更可能である。
【０１４２】
すなわち、本実施例では、刀部２１０及び柄部２１１を構成するレンズカバー２５７の回動支持板２５０の一端が回動軸２２５周りに軸支され、鞘部２１２を構成する鞘部カバー３９０が取り付けられる移動支持板２８０の一端が移動支持部材２３０に軸支されていたが、鞘部２１２を構成する鞘部カバー３９０が取り付けられる移動支持板２８０の一端を回動軸２２５周りに軸支し、刀部２１０及び柄部２１１を構成するレンズカバー２５７の回動支持板２５０の一端を移動支持部材２３０に軸支し、刀部２１０及び柄部２１１が鞘部２１２に対して出退するように連結してもよい。
【０１４３】
また、本実施例では、移動支持部材２３０は、昇降用ボルト２２８の軸心周りの回動により昇降駆動するように設けられていたが、所定の駆動源により移動支持部材２３０を第１位置と第２位置との間で少なくとも移動させるものであれば、駆動機構は種々に変更可能である。さらに本実施例では、昇降モータ８１を駆動して移動支持部材２３０を上下動させることにより役物２０１を回動させていたが、例えば回動支持板２５０を回動軸２２５周りに回転駆動させることにより役物２０１を回動させるようにしてもよい。
【０１４４】
また、本実施例では、役物２０１の一端は所定箇所に回動自在に軸支されていたが、例えば回動軸２２５も移動支持部材２３０と平行に上下動可能にしてもよく、このようにすれば役物２０１の動作態様をより複雑化することができる。
【０１４５】
以上、本発明の実施例を図面により説明してきたが、具体的な構成はこれら実施例に限られるものではなく、本発明の要旨を逸脱しない範囲における変更や追加があっても本発明に含まれる。
【０１４６】
例えば、前記実施例では、例えばパチンコ遊技機１の前面等に遊技者側から視認可能に設けられる表示手段の一例として、画像等を表示可能な演出表示装置９が適用されていたが、本発明はこのような画像を表示可能な画像表示装置に限定されるものではなく、例えば機械的構造物であってもよい。
【０１４７】
また、このような表示手段は、遊技盤６に配設されるものに限定されるものではなく、ガラス扉枠２等の遊技機本体の前面に設けてもよい。さらに、演出表示装置９のように演出用表示手段だけでなく、第１特別図柄表示器８ａや第２特別図柄表示器８ｂ等の遊技用表示手段であってもよい。
【０１４８】
また、前記実施例では、本発明を遊技機の一例としてパチンコ遊技機１を適用したが、本発明はこれに限定されるものではなく、メダル等の遊技用価値を用いて１ゲームに対して所定数の賭数を設定することによりゲームが開始可能となるとともに、各々が識別可能な複数種類の図柄を変動表示可能な可変表示装置に表示結果が導出されたことにより１ゲームが終了し、前記可変表示装置に導出された表示結果に応じて入賞が発生可能とされたスロットマシン等の遊技機にも適用可能である。
【符号の説明】
【０１４９】
１                パチンコ遊技機
６                遊技盤
２００            役物ユニット
２０１            役物
２１０            刀部
２１１            柄部
２１２            鞘部
２２５            回動軸
２３０            移動支持部材
２３４            軸ネジ
２５０            回動支持板
２５７            レンズカバー
２８０            移動支持板
３３０〜３６０    リンク片
３８０            柄部カバー
３９０            鞘部カバー
Ｚ３              開閉領域（装飾部）
【図１】
0005427043.tif 000002
【図２】
0005427043.tif 000003
【図３】
0005427043.tif 000004
【図４】
0005427043.tif 000005
【図５】
0005427043.tif 000006
【図６】
0005427043.tif 000007
【図７】
0005427043.tif 000008
【図８】
0005427043.tif 000009
【図９】
0005427043.tif 000010
【図１０】
0005427043.tif 000011
【図１１】
0005427043.tif 000012
【図１２】
0005427043.tif 000013
【図１３】
0005427043.tif 000014
【図１４】
0005427043.tif 000015
【図１５】
0005427043.tif 000016